(57)【要約】【課題】切り欠きを有した導光体の裏面側に隙間を生じることなく反射板を配置する。【解決手段】液晶パネル１と、液晶パネル１を透過照明させるために液晶パネル１の外側に対称的に配置された光源２と、液晶パネル１の背面側に配置され光源２の光を受光する受光部３２を備えた導光体３と、導光体３の裏面に配置された反射板４と、液晶パネル１を駆動させるための回路基板５と、これらを収納する上ケース６と下ケース７とを有した液晶表示装置において、導光体３は、導光体３の裏面側３ａから液晶パネル１に向かって凹んだ凹部３１を備え、反射板４は、傾斜面３１に沿って配置されるように弾性を有している。【選択図】図１
2013069594.tif 000002
【特許請求の範囲】
【請求項１】
液晶パネルと、前記液晶パネルを透過照明させるために前記液晶パネルの外側に対照的に配置された光源と、前記液晶パネルの背面側に配置された導光体と、前記導光体の裏面に配置された反射板と、前記液晶パネルを駆動させるための回路基板と、これらを収納する上ケースと下ケースとを有した液晶表示装置において、
前記導光体は、前記導光体の裏面側から前記液晶パネルに向かって凹んだ凹部を備え、
前記反射板は、前記凹部に沿って配置されるように弾性を有していることを特徴とする液晶表示装置。
【請求項２】
前記凹部は、一対の平面からなる傾斜部からなることを特徴とする請求項１に記載の液晶表示装置。
【請求項３】
前記凹部は、その表面に凹凸を有することを特徴とする請求項１から２に記載の液晶表示装置。
【請求項４】
前記反射板は、四方の角部と、前記光源に面する側以外の片に一対の突出部を有し、
前記導光体は、前記角部が保持される保持部と、前記受光部が形成されていない側に前記突出部が保持される一対の切り欠き部とを有し、
前記切り欠き部は、前記傾斜部が前記導光体の表面に最も近い箇所の両端部に設けられていることを特徴とする請求項１から３に記載の液晶表示装置。
【発明の詳細な説明】
【技術分野】
【０００１】
本発明は、例えば自動車やオートバイなどの各種車両に搭載される液晶表示装置に関し、特に弾性を有した反射板を用いた液晶表示装置に係わるものである。
【背景技術】
【０００２】
この種の液晶表示装置として例えば下記特許文献１に記載されたものが知られている。この液晶表示装置は、液晶パネルと、前記液晶パネルを透過照明させるために前記液晶パネルの外側に対照的に配置された光源と、前記光源からの光を前記液晶パネル全面に照射させる為に配置された反射板と、照射の効率を向上させるために前記導光体の裏面に配置された反射板と、前記液晶パネルを駆動させるための回路基板と、これらを収納する下ケースとを、備えたものである。
【先行技術文献】
【特許文献】
【０００３】
【特許文献１】特開２００２−１６９１４３号公報
【発明の開示】
【発明が解決しようとする課題】
【０００４】
しかしながら、このような液晶表示装置は、光源からの照射の効率を向上させるために前記導光体の裏面形状を水平平面ではなく曲面や斜面を組み合わせた形状とすることが多く、この場合、薄板状の反射板を導光体の裏面に沿って配置することが困難となり、導光体と反射板の間に隙間が生じることによって反射板の照射効率が低下してしまうという問題点があった。
【０００５】
そこで、本発明は前述した問題点に着目し、導光体と反射板との間に隙間が生じる虞を低減した液晶表示装置を提供することを目的とする。
【課題を解決するための手段】
【０００６】
本発明は、請求項１に記載のように、液晶パネルと、前記液晶パネルを透過照明させるために前記液晶パネルの外側に対照的に配置された光源と、前記液晶パネルの背面側に配置され前記光源の光を受光する受光部を備えた導光体と、前記導光体の裏面に配置された反射板と、前記液晶パネルを駆動させるための回路基板と、これらを収納する上ケースと下ケースとを有した液晶表示装置において、
前記導光体は、前記導光体の裏面側から前記液晶パネルに向かって凹んだ凹部を備え、
前記反射板は、前記凹部に沿って配置されるように弾性を有していることを特徴とする。
【０００７】
このように構成することによって、導光体の凹部に沿って反射板が配置されるので、導光体の裏面側に隙間を生じることなく反射板を配置することが可能な液晶表示装置を提供することができる。
【０００８】
また本発明は、請求項２に記載のように、前記反射板は、四方の角部と、前記光源に面する側以外の片に一対の突出部を有し、
前記導光体は、前記角部が保持される保持部と、前記受光部が形成されていない側に前記突出部が保持される一対の切り欠き部とを有し、
前記切り欠き部は、前記凹部が前記導光体の表面に最も近い箇所の両端部に設けられていることを特徴とする。
【０００９】
このように構成することによって、弾性を有した反射板を導光体に保持する際に、四方を保持することで撓みを防ぐことができ、また、凹部の頂点部分は、突出部を切り欠き部に保持することで、撓んだ状態の反射板と導光体との確実な保持を可能とした液晶表示装置を提供することができる。
【発明の効果】
【００１０】
本発明によれば、切り欠き部を有した導光体の裏面側に隙間を生じることなく反射板を配置することが可能な液晶表示装置を提供することができる。
【図面の簡単な説明】
【００１１】
【図１】本発明の第１の実施形態による液晶表示装置の斜視図。
【図２】図１の導光体と反射板の拡大図。
【図３】図１の導光体の要部断面図。
【発明を実施するための形態】
【００１２】
液晶表示装置は、液晶パネル１と、液晶パネル１を透過照明させるために液晶パネル１の外側に対照的に配置された光源２と、光源２からの光を液晶パネル１全面に照射させる為に配置された導光体３と、照射の効率を向上させるために導光体３の裏面側３ａに配置された反射板４と、光源２が実装された回路基板５と、これらを収納する上ケース６と下ケース７と、から主に構成されている。
【００１３】
液晶パネル１は、各種タイプの四角形状であるパネルを採用でき、導光板２上に配置され、且つ導光板２からの光を受けて各種情報を表示する。
【００１４】
光源２は、例えば発光ダイオードからなり、回路基板５の対向する側面上に一列に配置されている。
【００１５】
導光体３は、光透過性の合成樹脂からなり、液晶パネル１に対向する四角形状であり、導光体３の裏面側３ａから液晶パネル１に向かって凹んだ凹部３１が設けられている。また、光源３に対応するように対向する２辺には、光源２から出射する光を受光する受光部３２が形成されている。導光体３は、後述する反射板４が撓んだ状態で配置されるように、凹部３１を形成としたものである。
【００１６】
凹部３１は、本実施形態においては、湾曲した凹形状としたが（図３ａ参照）、導光体３の裏面側３ａから液晶パネル１に向かって凹んだ形状であればよく、図３ｂに示すように一対の平面からなる傾斜部３１１であってもよい。また、凹部３１の表面は、シボ３１２などの表面加工が施されていてもよく（図３ｃ参照）、導光効率が向上することができる。
【００１７】
また導光体３は、後述する反射板４の角部が保持される保持部３３と、受光部３２が形成されていない側面に一対の切り欠き部３４とが形成されている。
【００１８】
反射板４は、弾性を有する樹脂材料からなり、導光体３の保持部３３にスライド挿入されて保持される４つの角部４１が形成されている。また、受光部３２とは異なる側面（凹部３１が導光体３の表面側３ｂに最も近い箇所の両側面）には、切り欠き部３４に挿入されて保持される突出部４２が形成されている。
【００１９】
回路基板５は、たとえばガラスエポキシ系材料からなる硬質の回路基板で形成されており、光源２が対向する側面上に一列に配置されている。
【００２０】
上ケース６は、合成樹脂材料からなり、下ケース７の開口部に配置され、液晶パネル１を覆う透過性の前面パネル６１が嵌め込まれている。
【００２１】
下ケース７は、合成樹脂材料からなり、液晶パネル１と、導光体２と、反射板３と、回路基板５とを収納する。
【００２２】
このように構成された液晶表示装置において、液晶パネル１と、液晶パネル１を透過照明させるために液晶パネル１の外側に対称的に配置された光源２と、液晶パネル１の背面側に配置され光源２の光を受光する受光部３２を備えた導光体３と、導光体３の裏面に配置された反射板４と、液晶パネル１を駆動させるための回路基板５と、これらを収納する上ケース６と下ケース７とを有した液晶表示装置において、導光体３は、導光体３の裏面側３ａから液晶パネル１に向かって凹んだ凹部３１を備え、反射板４は、凹部３１に沿って配置されるように弾性を有していることによって、反射板４は、導光体３の凹部３１に対応するように撓んだ状態で保持され、導光体３と反射板４との間に隙間が生じる虞がない。
【００２３】
また、反射板４は、四方の角部４１と、光源２に面する側以外の片に一対の突出部４２を有し、導光体３は、反射板４の四方の角部４１が保持される保持部３３と、受光部３２が形成されていない側に突出部４２が保持される一対の切り欠き部３４とを有し、切り欠き部３４は、凹部３１が導光体３の表面３ｂ側に最も近い箇所の両端部に設けられていることによって、反射板４は、導光体３の凹部３１に対応するように撓んだ状態で保持部３３に角部４１を挿入させて保持されると共に、切り欠き部３４に突出部４２を挿入させて保持され、導光体３と反射板４との間に隙間が生じる虞がない。
【符号の説明】
【００２４】
１      液晶パネル
２      光源
３      導光体
３ａ    裏面側
３ｂ    表面側
４      反射板
５      回路基板
６      上ケース
７      下ケース
３１    凹部
３２    受光部
３３    保持部
３４    切り欠き部
４１    角部
４２    突出部
６１    前面パネル
３１１  傾斜部
３１２  シボ
【図１】
2013069594.tif 000003
【図２】
2013069594.tif 000004
【図３】
2013069594.tif 000005